【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
インキツボローラと、このインキツボローラの軸方向に並設された複数のインキツボキーと、前記インキツボローラからの刷版へのインキの供給通路に揺動自在に設けられたインキ呼出しロールと、このインキ呼出しロールを印刷機の回転に同調させて揺動させるインキ呼出しロール揺動手段と、前記インキ呼出しロールの揺動を停止させるインキ呼出しロール停止手段と、このインキ呼出しロール停止手段を作動させて前記インキ呼出しロールの揺動を間欠的に停止させるインキ呼出しロール間欠停止手段とを備え、前記インキツボローラの回転によって前記インキツボキーと前記インキツボローラとの間の隙間から前記インキツボローラに供給されたインキを、前記インキ呼出しロールの揺動動作によって前記刷版に供給し、この刷版に供給されたインキを印刷用紙に印刷する印刷機において、
前記インキツボキーに対する前記インキツボローラとの間の隙間量が所定の範囲にあるインキツボキーの数をカウントし、
このカウントしたインキツボキーの数に基づいて前記インキ呼出しロール間欠停止手段を作動させる
ことを特徴とする印刷機のインキ供給量制御方法。
【請求項２】
請求項１に記載された印刷機のインキ供給量制御方法において、
前記カウントしたインキツボキーの数が所定数よりも大きい場合に前記インキ呼出しロール間欠停止手段を作動させる
ことを特徴とする印刷機のインキ供給量制御方法。
【請求項３】
請求項１に記載された印刷機のインキ供給量制御方法において、
前記カウントしたインキツボキーの数とインキツボキー全体の数との割合を求め、
この求めた割合が予め設定されている割合よりも大きい場合に前記インキ呼出しロール間欠停止手段を作動させる
ことを特徴とする印刷機のインキ供給量制御方法。
【請求項４】
請求項１に記載された印刷機のインキ供給量制御方法において、
零よりも大きく所定値よりも小さい範囲を前記所定の範囲としてカウントしたインキツボキーの数と印刷に使用するインキツボキーの数との割合を求め、
この求めた割合が予め設定されている割合よりも大きい場合に前記インキ呼出しロール間欠停止手段を作動させる
ことを特徴とする印刷機のインキ供給量制御方法。
【請求項５】
請求項１に記載された印刷機のインキ供給量制御方法において、
前記インキ呼出しロール間欠停止手段によって前記インキ呼出しロールの揺動を間欠的に停止させる場合、前記インキツボキーに対する前記インキツボローラとの間の隙間量を補正する
ことを特徴とする印刷機のインキ供給量制御方法。
【請求項６】
請求項５に記載された印刷機のインキ供給量制御方法において、
前記インキツボキーに対する前記インキツボローラとの間の隙間量の補正は、前記インキツボキーと前記インキツボローラとの間の隙間量が予め定められている値よりも大きいもののみに対して行う
ことを特徴とする印刷機のインキ供給量制御方法。
【請求項７】
請求項６に記載された印刷機のインキ供給量制御方法において、
前記インキツボキーに対する前記インキツボローラとの間の隙間量の補正は補正後の値が大きくなる
ことを特徴とする印刷機のインキ供給量制御方法。
【請求項８】
請求項６に記載された印刷機のインキ供給量制御方法において、
前記インキツボキーに対する前記インキツボローラとの間の隙間量の補正は予め定められた補正係数を掛けた値だけ補正後の値が大きくなる
ことを特徴とする印刷機のインキ供給量制御方法。
【請求項９】
請求項１に記載された印刷機のインキ供給量制御方法において、
前記インキ呼出しロール間欠停止手段によって前記インキ呼出しロールの揺動を間欠的に停止させる場合、前記インキツボローラの回転量を補正する
ことを特徴とする印刷機のインキ供給量制御方法。
【請求項１０】
請求項９に記載された印刷機のインキ供給量制御方法において、
前記インキツボローラの回転量の補正は補正後の値が大きくなる
ことを特徴とする印刷機のインキ供給量制御方法。
【請求項１１】
請求項９に記載された印刷機のインキ供給量制御方法において、
前記インキツボローラの回転量の補正は予め定められた補正係数を掛けた値だけ補正後の値が大きくなる
ことを特徴とする印刷機のインキ供給量制御方法。
【請求項１２】
インキツボローラと、このインキツボローラの軸方向に並設された複数のインキツボキーと、前記インキツボローラからの刷版へのインキの供給通路に揺動自在に設けられたインキ呼出しロールと、このインキ呼出しロールを印刷機の回転に同調させて揺動させるインキ呼出しロール揺動手段と、前記インキ呼出しロールの揺動を停止させるインキ呼出しロール停止手段と、このインキ呼出しロール停止手段を作動させて前記インキ呼出しロールの揺動を間欠的に停止させるインキ呼出しロール間欠停止手段とを備え、前記インキツボローラの回転によって前記インキツボキーと前記インキツボローラとの間の隙間から前記インキツボローラに供給されたインキを、前記インキ呼出しロールの揺動動作によって前記刷版に供給し、この刷版に供給されたインキを印刷用紙に印刷する印刷機において、
前記インキツボキーに対する前記インキツボローラとの間の隙間量が所定の範囲にあるインキツボキーの数をカウントするカウント手段と、
このカウント手段によりカウントされたインキツボキーの数に基づいて前記インキ呼出しロール間欠停止手段を作動させる間欠停止作動手段と
を備えたことを特徴とする印刷機のインキ供給量制御装置。
【請求項１３】
請求項１２に記載された印刷機のインキ供給量制御装置において、
前記間欠停止作動手段は、前記カウントされたインキツボキーの数が所定数よりも大きい場合に前記インキ呼出しロール間欠停止手段を作動させる
ことを特徴とする印刷機のインキ供給量制御装置。
【請求項１４】
請求項１２に記載された印刷機のインキ供給量制御装置において、
前記間欠停止作動手段は、前記カウントされたインキツボキーの数とインキツボキー全体の数との割合を求め、この求めた割合が予め設定されている割合よりも大きい場合に前記インキ呼出しロール間欠停止手段を作動させる
ことを特徴とする印刷機のインキ供給量制御装置。
【請求項１５】
請求項１２に記載された印刷機のインキ供給量制御装置において、
前記カウント手段は、前記インキツボキーに対する前記インキツボローラとの間の隙間量が零よりも大きく所定値よりも小さい所定の範囲にあるインキツボキーの数をカウントし、
前記間欠停止作動手段は、前記カウントされたインキツボキーの数と印刷に使用するインキツボキーの数との割合を求め、この求めた割合が予め設定されている割合よりも大きい場合に前記インキ呼出しロール間欠停止手段を作動させる
ことを特徴とする印刷機のインキ供給量制御装置。
【請求項１６】
請求項１２に記載された印刷機のインキ供給量制御装置において、
前記インキ呼出しロール間欠停止手段によって前記インキ呼出しロールの揺動を間欠的に停止させる場合、前記インキツボキーに対する前記インキツボローラとの間の隙間量を補正する補正手段
を備えたことを特徴とする印刷機のインキ供給量制御装置。
【請求項１７】
請求項１６に記載された印刷機のインキ供給量制御装置において、
前記補正手段は、前記インキツボキーに対する前記インキツボローラとの間の隙間量が予め定められている値よりも大きいもののみに対して行う
ことを特徴とする印刷機のインキ供給量制御装置。
【請求項１８】
請求項１７に記載された印刷機のインキ供給量制御装置において、
前記補正手段による前記インキツボキーに対する前記インキツボローラとの間の隙間量の補正は補正後の値が大きくなる
ことを特徴とする印刷機のインキ供給量制御装置。
【請求項１９】
請求項１７に記載された印刷機のインキ供給量制御装置において、
前記補正手段による前記インキツボキーに対する前記インキツボローラとの間の隙間量の補正は予め定められた補正係数を掛けた値だけ補正後の値が大きくなる
ことを特徴とする印刷機のインキ供給量制御装置。
【請求項２０】
請求項１２に記載された印刷機のインキ供給量制御装置において、
前記インキ呼出しロール間欠停止手段によって前記インキ呼出しロールの揺動を間欠的に停止させる場合、前記インキツボローラの回転量を補正する補正手段
を備えたことを特徴とする印刷機のインキ供給量制御装置。
【請求項２１】
請求項２０に記載された印刷機のインキ供給量制御装置において、
前記補正手段は、前記インキツボローラの回転量を大きくなるように補正する
ことを特徴とする印刷機のインキ供給量制御装置。
【請求項２２】
請求項２０に記載された印刷機のインキ供給量制御装置において、
前記補正手段は、前記インキツボローラの回転量を予め定められた補正係数を掛けた値だけ大きくなるように補正する
ことを特徴とする印刷機のインキ供給量制御装置。
【請求項２３】
請求項５に記載された印刷機のインキ供給量制御方法において、
前記インキツボキーに対するインキツボローラとの間の隙間量は、前記刷版の絵柄面積率に応じて補正されることを特徴とする印刷機のインキ供給量制御方法。
【請求項２４】
請求項９に記載された印刷機のインキ供給量制御方法において、
前記インキツボローラの回転量は、前記刷版の絵柄面積率に応じて補正されることを特徴とする印刷機のインキ供給量制御方法。
【請求項２５】
請求項１６に記載された印刷機のインキ供給量制御装置において、
前記インキツボキーに対するインキツボローラとの間の隙間量は、前記刷版の絵柄面積率に応じて補正されることを特徴とする印刷機のインキ供給量制御装置。
【請求項２６】
請求項２０に記載された印刷機のインキ供給量制御装置において、
前記インキツボローラの回転量は、前記刷版の絵柄面積率に応じて補正されることを特徴とする印刷機のインキ供給量制御装置。
【請求項２７】
複数のインキツボキーと、このインキツボキーの開き量によって調整された量のインキを刷版に供給する、揺動自在に設けられたインキ呼出しロールと、このインキ呼出しロールを印刷機の回転に同調させて揺動させるインキ呼出しロール揺動手段と、前記インキ呼出しロールの揺動を停止させるインキ呼出しロール停止手段と、このインキ呼出しロール停止手段を作動させて前記インキ呼出しロールの揺動を間欠的に停止させるインキ呼出しロール間欠停止手段とを備え、前記刷版に供給されたインキを印刷用紙に印刷する印刷機において、
前記インキツボキーの開き量が所定の範囲にあるインキツボキーの数をカウントし、
このカウントしたインキツボキーの数に基づいて前記インキ呼出しロール間欠停止手段を作動させる
ことを特徴とする印刷機のインキ供給量制御方法。
【請求項２８】
複数のインキツボキーと、このインキツボキーの開き量によって調整された量のインキを刷版に供給する、揺動自在に設けられたインキ呼出しロールと、このインキ呼出しロールを印刷機の回転に同調させて揺動させるインキ呼出しロール揺動手段と、前記インキ呼出しロールの揺動を停止させるインキ呼出しロール停止手段と、このインキ呼出しロール停止手段を作動させて前記インキ呼出しロールの揺動を間欠的に停止させるインキ呼出しロール間欠停止手段とを備え、前記刷版に供給されたインキを印刷用紙に印刷する印刷機において、
前記インキツボキーの開き量が所定の範囲にあるインキツボキーの数をカウントするカウント手段と、
このカウント手段によりカウントされたインキツボキーの数に基づいて前記インキ呼出しロール間欠停止手段を作動させる間欠停止作動手段と
を備えたことを特徴とする印刷機のインキ供給量制御装置。
【手続補正２】
【補正対象書類名】明細書
【補正対象項目名】００１１
【補正方法】変更
【補正の内容】
【００１１】
【課題を解決するための手段】
このような目的を達成するために本発明は、上述した印刷機において、インキツボキーの開き量が所定の範囲にあるインキツボキーの数をカウントし、このカウントしたインキツボキーの数に基づいてインキ呼出しロール間欠停止手段を作動させるようにしたものである。
【手続補正３】
【補正対象書類名】明細書
【補正対象項目名】００１２
【補正方法】変更
【補正の内容】
【００１２】
この発明では、インキツボキーの開き量が所定の範囲にあるインキツボキーの数、例えば絵柄面積率に応じて定められる設定値やポテンショメータなどによって検出される実際値が所定値よりも小さいインキツボキーの数をカウントし、このカウントしたインキツボキーの数が所定数よりも大きい場合に、インキ呼出し回数の間引き運転が必要であると判断し、インキ呼出しロール間欠駆動手段を作動させる。すなわち、小絵柄部の数をカウントし、小絵柄部の数が所定数よりも多い場合に、インキ呼出し動作の間欠停止を行う。
【手続補正４】
【補正対象書類名】明細書
【補正対象項目名】０１４０
【補正方法】変更
【補正の内容】
【０１４０】
【発明の効果】
以上説明したことから明らかなように本発明によれば、インキツボキーの開き量が所定の範囲にあるインキツボキーの数をカウントし、このカウントしたインキツボキーの数に基づいてインキ呼出しロール間欠停止手段を作動させるようにしたので、インキ呼出し動作の間欠停止を行うか否かの判断を自動化し、オペレータの負担を軽減することが可能となる。
【手続補正５】
【補正対象書類名】図面
【補正対象項目名】図１６
【補正方法】変更
【補正の内容】
【図１６】
2004202947.tif 000001